(57)【要約】【課題】小型で携帯性に優れ、同時に使用時における操作性を備えたデジタルカメラを提供する。【解決手段】複数の本体部材３、４が入れ子式に伸縮自在に組み合わさって構成された箱型のボディ２内に、前記ボディ前面８に設けられた入射口６から入射した被写体光Ｌを屈折させて撮像素子上で結像させる屈折撮影光学系５を、屈折後の撮像素子側光軸が前記ボディの伸縮方向と平行となるように搭載したデジタルカメラである。前記屈折撮影光学系５は、複数のユニット１０ａ，１０ｂ，１７ａに分割して構成され、それぞれのユニットが、前記本体部材３，４の伸縮移動に伴い互いの相対位置が変化するように前記ボディ２内に収納され、前記使用時に前記ボディ２が伸長することによって、前記屈折撮影光学系５のそれぞれのユニット１０ａ，１０ｂ，１７ａが、撮影可能な所定位置に移動する。【選択図】  図４
2004325471.tif 000002
【特許請求の範囲】
【請求項１】
複数の本体部材が入れ子式に伸縮自在に組み合わさって構成された箱型のボディ内に、前記ボディ前面に設けられた入射口から入射した被写体光を屈折させて撮像素子上で結像させる屈折撮影光学系を、屈折後の撮像素子側光軸が前記ボディの伸縮方向と平行となるように搭載したデジタルカメラであって、
前記屈折撮影光学系は、複数のユニットに分割して構成され、それぞれのユニットが、前記本体部材の伸縮移動に伴い互いの相対位置が変化するように前記ボディ内に搭載され、
使用時に前記ボディが伸長することによって、前記屈折撮影光学系のそれぞれのユニットが、撮影可能な所定位置に移動することを特徴とする、デジタルカメラ。
【請求項２】
前記屈折撮影光学系は、鏡胴がズームレンズが駆動する駆動領域において光軸に略垂直な方向に分断されて複数のユニットを構成し、前記分断された鏡胴が入れ子式に伸縮自在に構成され、それぞれのユニットが本体部材の伸縮移動に伴って伸縮移動し、前記鏡胴が伸長した場合に形成される延伸部分において前記ズームレンズを光軸方向に駆動するように構成されていることを特徴とする、請求項１に記載のデジタルカメラ。
【請求項３】
前記ズームレンズは、前記鏡胴の収縮時において、前記屈折後の撮像素子側光軸から外れた鏡胴外の位置に配置され、前記ボディが伸長した場合に前記鏡胴内に移動するように構成されることを特徴とする、請求項２に記載のデジタルカメラ。
【請求項４】
前記屈折撮影光学系は、鏡胴と撮像素子ユニットに分断されて複数のユニットを構成し、前記分断された撮像素子ユニットが、前記前記屈折後の撮像素子側光軸と略垂直な方向に移動可能に構成され、前記ボディが伸長した場合に、撮像面が前記屈折後の撮像素子側光軸に一致する位置に移動するように構成されることを特徴とする、請求項１に記載のデジタルカメラ。
【請求項５】
前記ボディの伸長により、前記屈折撮影光学系以外の前記ボディ内に形成される中空領域を、予備バッテリを装着可能な電池収納室として用いることを特徴とする、請求項１乃至４のいずれか１つに記載のデジタルカメラ。
【発明の詳細な説明】
【０００１】
【発明の属する技術分野】
本発明は、屈曲撮影光学系を利用したデジタルカメラに関する。
【０００２】
【従来の技術】
従来、カメラの小型化を図るために、撮影光学系に被写体光を屈折させる屈折手段を備えた屈折撮影光学系を搭載したデジタルカメラが提案されている（特許文献１，３）。屈折撮影光学系を搭載したデジタルカメラは、撮影光学系を屈曲させることができるため、ズームレンズを有するカメラ本体を小さくすることができ、携帯性を向上させることができる（特許文献２）。
【０００３】
また、例えば、携帯性を最優先にして、フラッシュや背面モニタなどを省略して撮影に必要な機能だけを持たせたカメラも存在している。
【０００４】
しかし、これらのように、携帯性を重視するあまりに極端に小型に構成すると、使用時において操作性が損なわれることがある。また、カメラを小型に構成することによりバッテリの容量も小さくせざるを得ず、長時間の動作や動画撮影など消費電力の大きい操作には不利であるという問題もあった。
【０００５】
【特許文献１】
特開平１１−２２０６４６号公報
【特許文献２】
特開平１０−２８２５６０号公報
【特許文献３】
特開平１１−２０５６４１号公報
【０００６】
【発明が解決しようとする課題】
したがって、本発明が解決しようとする技術的課題は、上記問題を解決し、小型で携帯性に優れ、同時に使用時における操作性を備えたデジタルカメラを提供することである。
【０００７】
また、本発明の他の解決しようとする課題は、小型のカメラでありながら、電力不足の問題を解消することができるデジタルカメラを提供する。
【０００８】
【課題を解決するための手段】
本発明は、上記技術的課題を解決するために、以下の構成のデジタルカメラを提供する。
【０００９】
デジタルカメラは、複数の本体部材が入れ子式に伸縮自在に組み合わさって構成された箱型のボディ内に、前記ボディ前面に設けられた入射口から入射した被写体光を屈折させて撮像素子上で結像させる屈折撮影光学系を、屈折後の撮像素子側光軸が前記ボディの伸縮方向と平行となるように搭載したものである。そして、前記屈折撮影光学系は、複数のユニットに分割して構成され、それぞれのユニットが、前記本体部材の伸縮移動に伴い互いの相対位置が変化するように前記ボディ内に搭載され、前記使用時に前記ボディが伸長することによって、前記屈折撮影光学系のそれぞれのユニットが、撮影可能な所定位置に移動する。
【００１０】
上記構成において、デジタルカメラのボディは、例えば、２つ又は３つなどの複数の本体部材が入れ子式に組み合わさって構成され、伸縮自在に組み合わされた密閉した箱形のものである。すなわち、少なくとも一方が開口した２または３つの本体部材が互いの開口部分を閉鎖するようにスライド可能に組み合わされ、収縮時は、一方の本体部材の一部が、他方の本体部材内に深く挿入されるようにして、ボディの寸法が小さく構成されているが、伸長時においては、当該挿入されている本体部材が他方の本体部材から露出することにより、その寸法が伸長方向に大きくなる構造を有している。したがって、使用時において、ボディを伸長させ、その寸法を大きくすることができ、その操作性が損なわれることがない。
【００１１】
ボディ内には、屈折撮影光学系が搭載されている。屈折撮影光学系は、カメラの前面に繰り出したりする繰り出し型の撮影光学系と異なり、ボディ内にすべての構成部分が収納される。ボディの全面に設けられた入射口から入射された被写体光は、屈折され、撮像素子上で結像する。
【００１２】
屈折撮影光学系は、分割された複数のユニットから構成されている。よって、それぞれのユニットを分離して折り畳み可能な状態としてボディに格納することができる。したがって、収縮時におけるボディの寸法をより小さくすることができる。
【００１３】
また、屈折撮影光学系は、使用時にボディが伸長することによって、屈折撮影光学系を構成するそれぞれのユニットが、予め決められている撮影可能な所定位置に移動するようにボディ内に搭載される。したがって、使用時においては、ボディの伸長に伴って屈折撮影光学系が適切な所定位置に配置され、撮影動作を行うことができる。
【００１４】
上記構成によれば、撮影を行わない不使用時においては、屈折撮影光学系を使用する必要がないため、これを小さくしてボディの寸法を小さくすると共に、屈折撮影光学系が必要となる撮影時には、ボディを大きくして操作性を高め、かつ、当該大きくなったボディ内において屈折撮影光学系を撮影可能な状態に組み上げることができる。
【００１５】
本発明のデジタルカメラは、具体的には以下のように種々の態様で構成することができる。
【００１６】
本発明の第２態様によれば、前記屈折撮影光学系は、鏡胴がズームレンズが駆動する駆動領域光軸に略垂直な方向に分断されて複数のユニットを構成し、前記分断された鏡胴が入れ子式に伸縮自在に構成され、それぞれのユニットが本体部材の伸縮移動に伴って伸縮移動し、前記鏡胴が伸長した場合に形成される延伸部分において前記ズームレンズを光軸方向に駆動するように構成される。
【００１７】
上記構成において、屈折撮影光学系は、鏡胴が光軸に略垂直な方向に分断される。ズームレンズが駆動する駆動範囲は、ズームレンズが、テレ位置とワイド位置との間で移動するために所定の長さが必要であり、撮影時以外においては、両ユニットの当該領域が重なるように、鏡胴を入れ子式に組み合わせることにより、鏡胴を短く収納することができる。
【００１８】
一方、使用時においてボディを伸長させる場合には、当該ボディの伸長に伴って、その方向に両鏡胴が伸長するように相対的に移動し、撮影可能な状態に組み立てられる。鏡胴が延伸して形成された部分においてズームレンズが駆動する。
【００１９】
上記構成によれば、ボディの伸長に伴って鏡胴が伸長するように構成されているため、収縮時のボディサイズを小さくすることができる。また、撮影光学系を構成するブロックが少ないズームレンズの駆動範囲で鏡胴を分割することにより、鏡胴をより簡単に構成でき、よりコンパクトに収納することができる。
【００２０】
本発明の第３実施態様によれば、前記ズームレンズは、前記鏡胴の収縮時において、前記屈折後の撮像素子側光軸から外れた鏡胴外の位置に配置され、前記ボディが伸長した場合に前記鏡胴内に移動するように構成される。
【００２１】
上記構成によれば、入れ子式に収縮された鏡胴の延伸領域の外にズームレンズを配置することができるため、鏡胴をさらにコンパクトに収納することができる。
【００２２】
本発明の第４態様によれば、前記屈折撮影光学系は、鏡胴と撮像素子ユニットに分断されて複数のユニットを構成し、前記分断された撮像素子ユニットが、前記前記屈折後の撮像素子側光軸と略垂直な方向に移動可能に構成され、前記ボディが伸長した場合に、撮像面が前記屈折後の撮像素子側光軸に一致する位置に移動するように構成される。
【００２３】
上記構成によれば、ボディの収縮時において、屈折撮影光学系が撮像素子の分だけ短く構成され、ボディをよりコンパクトにすることができる。
【００２４】
本発明の第５態様によれば、前記ボディの伸長により、前記屈折撮影光学系以外の前記ボディ内に形成される中空領域を、予備バッテリを装着可能な電池収納室として用いる。
【００２５】
上記構成によれば、伸長時に形成された領域を用いて予備のバッテリを電源として利用することができるため、ボディを小型に構成し、小型のバッテリしか用いられない場合であっても、長時間にわたる操作や、動画撮影など消費電力の大きい操作を行うことができる。
【００２６】
【発明の実施の形態】
以下、本発明の各実施形態に係るデジタルカメラについて、図面を参照しながら説明する。
【００２７】
図１は、本発明の第１実施形態にかかるデジタルカメラの外観構成図である。デジタルカメラ１ａは、ボディ２の前面８に対して右上部分に被写体光を受光する入射口６が設けられている。ボディ２は、２つの部材（第１部材３、及び第２部材４）とで構成されている。
【００２８】
第１部材３は、デジタルカメラ１ａの前面からみて右側に一回り小さく構成された挿入部３ａを備え、当該挿入部の右端が開口した構成である。第２部材４は、第１部材とほぼ同じ外側寸法を備え、左側が開口した構成である。第１部材３と第２部材４とは、第１部材の挿入部３ａが第２部材の開口に挿入され、入れ子式に組み合わされて、中空の内腔を有するボディ２を構成する。
【００２９】
ボディ２の中には、デジタルカメラとしての機能を実現するための各種ブロックが内蔵されている。当該ブロックの１つには、入射口６から入射された被写体光を結像させ電気信号に変換するための撮影光学系が含まれる。撮影光学系５は、ボディの上端に、図１において水平な向きに配置されている。当該撮影光学系は、ボディの右上に設けられた入射口６から入射した被写体光を図１において、左側に屈折させて、撮像素子１７（図２参照）上で結像させる屈折撮影光学系である。
【００３０】
ボディ２は、図１（ｂ）に示すように、使用時においては、矢印５１に示すように、第１部材３及び第２部材４を広げるようにスライドさせることで幅寸法を拡大することができる。すなわち、第２部材４の開口に挿入されていた第１部材３の挿入部３ａの大部分が、第２部材からひき抜かれ、ボディ２の表面に露出される。第１部材３及び第２部材４が最大に伸長した位置では、図示しない係止機構により第１部材３及び第２部材４が当該位置でロックされる。
【００３１】
ボディ２の前面に設けられた入射口６は、ボディが図１（ａ）に示す収納状態においては、レンズバリア７によって閉鎖されている。当該レンズバリア７は、ボディが図１（ｂ）に示す伸長状態となる場合にボディ２内を移動し、入射口６を開口するように構成されている。当該機構は、特に限定されるものではないが、後述するように、ボディ２を伸長させる場合に生じる第１部材３及び第２部材４の相対的な位置変化を利用することが望ましい。
【００３２】
図２は、図１のデジタルカメラに用いられる屈折撮影光学系の概略構成を示す図である。屈折撮影光学系５は、円筒形の鏡胴１０の中に対物レンズ１２、プリズムやミラーなどの反射部材１３、ズームレンズ群１４、フォーカスレンズ群１５、シャッター１６、ＣＣＤ１７、モアレ防止用のローパスフィルタ１８などが格納されている。入射口１１から受けた被写体光Ｌは、対物レンズ１２を通過して、反射部材１３により反射して、図２において下方向に約９０゜屈曲する。屈曲後の被写体光Ｌは、ズームレンズ群１４、シャッター１６、絞り機構（図示なし）、フォーカスレンズ群１５などを通して、ＣＣＤ１７の撮像面上に結像される。
【００３３】
鏡胴１０は、図２に示すように、その中間部分において、上方部材１０ａと下方部材１０ｂの２つに分割されている。下方部材１０ｂの鏡胴は、上方部材１０ａに入れ子式に組み合わせることができるように、その先端部分に細径部を有している。下方部材１０ｂの細径部が上方部材１０ａの奥まで挿入された場合は、鏡胴１０はその光軸方向の寸法が短くなり、下方部材１０ｂの細径部が上方部材１０ａに浅く挿入されている場合は、鏡胴１０の光軸方向の寸法は長くなる。屈折撮影光学系５は、上方部材１０ａと下方部材１０ｂとが所定の位置関係を有する場合にＣＣＤ１７の撮像面上で結像する撮影可能な状態となり、全体の長さが長くなるほどズーム倍率を大きくすることができる。
【００３４】
図３及び図４に第１実施形態にかかるデジタルカメラの内部構造の概略を示す。デジタルカメラ１ａは、図３に示す収納時においては、上述のように、ボディ２を構成する第１部材３の挿入部３ａが第２部材４の奥まで挿入された位置関係を有している。ボディ２の中には、図２に示した屈折撮影光学系５と制御基板や記憶媒体などの他の構成部材（例えば、ブロック２１，２２）とが格納されている。ブロック２１，２２の一方には、本デジタルカメラ１ａを駆動させるためのバッテリが備えられており、外部から電気の供給を受けることによって充電する。
【００３５】
屈折撮影光学系５は、その上方部材１０ａが第２部材４側に、下方部材１０ｂが第１部材３側に固定されている。また、ブロック２１、２２は、共に第１部材３側に固定されている。したがって、ボディが伸長方向にスライドすると、ブロック２１、２２及び下方部材１０ｂは第１部材３と共に移動し、ブロック２２、上方部材１０ａは第２部材４と共に移動する。
【００３６】
屈折撮像光学系５は、収納状態にあるボディの幅寸法に合わせてその光軸方向寸法が小さくなるように、上方部材１０ａの奥まで下方部材１０ｂの細径部が挿入された状態となっている。この収縮した状態においては、ズームレンズ１４ａは、移動可能範囲α（図４参照）の一方の端部に配置され、当該移動可能範囲αに下方部材１０ｂの細径部が挿入されるように配置されている。
【００３７】
したがって、デジタルカメラ１ａが収納状態にある場合は、内蔵されている屈折撮影光学系５は、撮影時に必要とされるよりも短い寸法に収納することが可能であり、ボディ２のサイズを当該屈折撮影光学系５に合わせて小さくすることができる。したがって、カメラの不使用時において、デジタルカメラ１ａをコンパクトに構成することができる。
【００３８】
一方、図４に示すように、デジタルカメラ１ａの第２部材４が、矢印５１の方向に引き出され、ボディ２が伸長状態となると、屈折撮影光学系５は、ボディ２を構成する第１部材３及び第２部材４の相対位置が離れることに伴い、上方部材１０ａ及び下方部材１０ｂは、鏡胴１０が伸縮する方向に相対位置を変化させる。上述のように、ボディ２が最大伸長して係止機構により、その位置がロックされた場合に、屈折撮影光学系５が撮影可能な状態となるような位置に、上方部材１０ａ及び下方部材１０ｂが移動する。
【００３９】
図４の伸長状態において、図示しないズームキーを操作することにより、ズームレンズ群１４を構成する２つのズームレンズ１４ａ，１４ｂが、その移動可能範囲α、βで移動することにより、屈折撮影光学系のズーム倍率を変更することができる。また、図示しないレリーズボタンを操作することにより、フォーカスレンズ１５が移動し、焦点調節を行う。
【００４０】
また、収納時にボディ２の前面８に設けられた入射口６を閉鎖するバリア７は、ボディ２の第１部材の挿入部３ａと共に、図３，４に対して左側に移動し、ボディ２が最大伸長した位置において入射口６を完全に開放する。
【００４１】
ブロック２１、２２は、共に第１部材３側に固定されているため、矢印５１の方向に第２部材４が移動すると、第２部材に対する相対位置が変化する。その結果、ボディの図４に対して左端に中空領域２３が生じる。当該中空領域２３は、後述するように、予備のバッテリ（図示なし）を収納するための電池収納室として用いることが好ましく、当該中空領域２３に、予備のバッテリ用の端子を配置する。
【００４２】
したがって、図４に示すようにデジタルカメラ１ａが伸長状態にある場合は、屈折撮影光学系５が撮影可能となる位置に、屈折撮影光学系５を構成する部材１０ａ，１０ｂが移動する。また、不使用時においてコンパクトに収納されたボディが伸長するため、操作性が向上する。さらに、ボディが伸長することによって生じた中空領域を予備のバッテリのための電池収納室として用いることにより、供給電力の不足を補うことができる。
【００４３】
図５は、本発明の第２実施形態にかかるデジタルカメラの概略構成を示す図である。このデジタルカメラ１ｂは、基本的構成を第１実施形態にかかるデジタルカメラ１ａと共通するため、以下、相違点を中心に説明する。
【００４４】
本実施形態にかかるデジタルカメラ１ｂは、主に、搭載している屈折撮影光学系５の構成において、第１実施形態にかかるデジタルカメラ１ａと異なる。具体的には、屈折撮影光学系５は、デジタルカメラ１ｂの収納時において、ズームレンズ１４ａを鏡胴１０（１０ａ，１０ｂ）の外部下方に移動するように構成されており、鏡胴の２つの部材をより深く挿入して、よりコンパクトに収納することができる。また、ズームレンズ１４ａを上記鏡胴１０の外部に配置することに伴い、ブロック２２が小さく構成されている。
【００４５】
屈折撮影光学系５の上部部材１０ａは、鏡胴を構成する一部の側壁を取り除き、図５（ｂ）に示すように、伸長時において、ズームレンズ１４ａを鏡胴１０内に移動させるための隙間１８が形成されるように構成されている。
【００４６】
ボディ２の伸長時において、ズームレンズ１４ａを矢印５６のように移動させるための構成としては、例えば、図６に示すようなズームレンズ１４ａを利用する。ズームレンズ１４ａは、レンズ２５を固定するフレーム２６をガイドするシャフト２４を備えている。シャフト２４は、鏡胴とほぼ平行に設けられている。
【００４７】
ボディ２がスライドし、伸長状態となったことが検出されると、図示しない駆動機構が機能し、当該シャフト２４がその軸を中心として回転することにより矢印５２に示すようにレンズを回転駆動させる。その結果、ズームレンズは、鏡胴１０に設けられた隙間１８から鏡胴１０の内部へ移動する（図６（ｂ）（ｃ）参照）。また、ズームレンズが鏡胴１０内に存在する場合において、ズームキー（図示なし）を操作することにより、駆動機構が作動し、矢印５３に示すように、フレーム２６がシャフト２４の軸に沿って移動する。これにより、屈折撮影光学系５のズーム倍率を調整することができる。
【００４８】
図７は、ズームレンズの移動機構の変形例を示す図である。ズームレンズを鏡胴１０内に移動させる機構として、たとえば、ラック、ピニオンなどを用いたスライド機構を用いることができる。具体的には、図７に示した通り、レンズ２５を保持したフレーム２６に、ラック２６ａを備え、図示しないピニオンを駆動させることにより矢印５４，５５に示すようにカメラ１ｂの高さ方向へ往復移動可能に構成する。
【００４９】
図８は、本発明の第３実施形態にかかるデジタルカメラの概略構成を示す図である。本実施形態においても第１実施形態にかかるデジタルカメラとの相違点を中心に説明する。このデジタルカメラ１ｃは、図１に示した構成とほぼ共通するボディ２の中に屈折撮影光学系５及びその他のブロックを内蔵する。撮影光学系５は、ボディの上端に、ボディのスライド方向に平行に配置されている。当該撮影光学系は、ボディの右上に設けられた入射口から入射した被写体光を図８において、左側に屈折させて、撮像素子１７（図２参照）上で結像させる屈折撮影光学系である。
【００５０】
ボディ２は、図１（ｂ）に示すように、使用時においては、矢印５１に示すように、第１部材３及び第２部材４を広げるようにスライドさせることで幅寸法を拡大することができる。第１部材３及び第２部材４が最大に伸長したところでは、図示しない係止機構によりその位置がロックされる。
【００５１】
屈折撮影光学系５は、鏡胴１０と撮像素子ユニット１７ａとの２つに分断されている。撮像素子ユニット１７ａは、ＣＣＤ１７、これを固定するフレーム、モアレ防止用のローパスフィルタから構成されている。撮像素子ユニット１７ａは、ボディ２の第１部材３の側壁３ｂに沿ってカメラの高さ方向にスライド可能に配置されており、カメラ１ｃの収納時は、図８（ａ）に示すように下方に退避する。
【００５２】
また、屈折撮影光学系５の鏡胴部分１０は、ボディ２の第２部材４に固定されており、第２部材４のスライドに伴って第１部材３との相対位置が変化する。すなわち、図８（ａ）に示すように、ボディ２が収納状態となると、鏡胴部分１０は、第１部材３の奥方向にスライドし、収納時における撮像素子ユニット１７ａと高さ方向に重なる位置に移動する。したがって、カメラ１ｃの収縮時の幅寸法は、屈折撮影光学系５の一部である鏡胴部分１０が長手方向に収まるような寸法とすることができ、収納時におけるボディサイズを小さくすることができる。
【００５３】
ブロック２１，２２は、デジタルカメラ１ｃの制御基板や記憶媒体などの構成部材である。ブロック２７は、屈折撮影光学系５の撮像素子ユニット１７ａを駆動させるための駆動機構である。ブロック２１、２７は、第１部材３側に固定されており、ブロック２２は第２部材４側に固定されている。
【００５４】
ボディが伸長すると、屈折撮影光学系の鏡胴部分は、第２部材４と共に矢印５１に示す方向に移動し、図８において第１部材３の左端部分に空間が形成される。また、ボディが伸長したことが検知されると、駆動機構２７が作動し、当該空間に撮像素子ユニット１７ａを移動させる。また、ボディが伸長方向にスライドすると、ブロック２１、２７は第１部材３と共に移動し、ブロック２２は第２部材４と共に移動する。したがって、ブロック２１とブロック２２との間に、収納時にブロック２２の一部が存在していた領域が、中空領域２３として形成される。本実施形態では、形成された中空領域２３は、バッテリーのための電池収納室として用いられる。
【００５５】
図９は、本実施形態にかかるデジタルカメラの外観概略構成斜視図である。中空領域２３を電池収納室として使用するために、ボディ２の第１部材の挿入部３ａの底面２８に開閉可能に設けられた開閉蓋２９が設けられている。使用者は、デジタルカメラを伸長状態にし、ボディ外面に露出した開閉蓋２９を開けて予備のバッテリ３０を電池収納室（中空領域２３）に挿入する。
【００５６】
電池収納室には、バッテリの端子に対応する位置に端子（図示なし）が設けられており、当該端子から電力の供給を受ける。また、バッテリが挿入された状態では、ボディを収納状態に戻すことができないため、カメラの使用者の誤操作を防止するためにバッテリの挿入を検知して、ボディ２を伸長状態にロックするロック機構を設けることが好ましい。また、ボディ２を伸長したままで主電源をオフにするためのメインスイッチを備えておくことが好ましい。
【００５７】
図１０は、第３実施形態にかかるデジタルカメラの制御機構のブロック図である。本実施形態にかかるデジタルカメラ１ｃの全体制御は、ＣＰＵ３１によって行われる。当該制御機構には、レリーズボタン、ズームキー、モード切り替えスイッチなどの操作部３２と、カメラの状態や撮影された画像を表示す液晶ディスプレイなどの表示装置３３と、外部装置との上方の送受信のためのインターフェース部３４と、撮影画像を記録する記録媒体３５と、カメラのボディがスライドして伸長したことを検知するための検知部３６とを備える。
【００５８】
検知部３６により、ボディ２を構成する第１部材３が第２部材４に対してスライドしたことが検知されると、駆動機構２７に格納されているモータ２７ａに対して駆動信号が送られ、屈折撮影光学系５の移動部材（本実施形態では撮像素子ユニット１７ａ）が移動し鏡胴１０の光軸上に配置される。
【００５９】
また、操作部３２のレリーズボタンが操作されたことをＣＰＵ３１が、検知すると、屈折撮影光学系に対して撮影のための信号を送信して、ＣＣＤから受信した画像信号を適宜変換して、表示装置３３に表示させると共に記録媒体３５に格納する。格納された画像信号が、Ｉ／Ｆ３４を通して外部機器に送信される。
【００６０】
以上説明したように、本実施形態にかかるデジタルカメラは、デジタルカメラの内蔵ブロックのうち、最も大きい鏡胴を折り畳んでコンパクトにすることができるため、使用しない場合はカメラボディを小型にすることができる一方、使用時においては、ボディを伸長した状態にして撮影を行うため、操作性を損なうことがない。
【００６１】
また、ボディを伸長することにより生じる中空領域を予備バッテリの電池収納室として用いることにより、小型のカメラに生じやすい電気容量不足の問題を解消することができる。
【００６２】
なお、本発明は上記実施形態に限定されるものではなく、その他種々の態様で実施可能である。
【００６３】
例えば、上記実施形態においては、ボディが、２つの部材（第１部材３及び第２部材４）で構成され、第１部材に第２部材に挿入される挿入部３ａが一体的に構成されているが、これに限られるものではない。例えば、互いの開口部分が対向するように組み合わさって収納時のボディの外形を構成する２つの箱部材と、当該２つの箱部材の開口と同寸法の外径を持つ筒状の部材であって当該２つの箱部材の開口部分にスライド可能に挿入されることによって前記２つの箱部材を連結する連結部材とを含む３つのユニットに分割することもできる。
【図面の簡単な説明】
【図１】本発明の第１実施形態にかかるデジタルカメラの概略構成を示す図であり、（ａ）は、収納状態（ｂ）は伸長状態を示す。
【図２】図１のデジタルカメラに搭載されている屈折撮影光学系の構成を示す断面図である。
【図３】収納状態にある図１のデジタルカメラの内部構成を示す概略図であり、（ａ）は上面談面図、（ｂ）は正面断面図である。
【図４】伸長状態にある図１のデジタルカメラの内部構成を示す概略図であり、（ａ）は上面談面図、（ｂ）は正面断面図である。
【図５】本発明の第２実施形態にかかるデジタルカメラの概略構成を示す正面断面図であり、（ａ）は収納状態、（ｂ）は伸長状態を示す図である。
【図６】図５のデジタルカメラに用いられるズームレンズユニットについて説明する図であり、（ａ）はズームレンズユニットの外観構成図、（ｂ）は図５（ａ）のＡ−Ａ断面図、（ｃ）は図５（ｂ）のＢ−Ｂ断面図である。
【図７】ズームレンズユニットの変形例の説明図であり、（ａ）は当該ユニットを搭載した場合の図５（ａ）のＡ−Ａ断面図、（ｃ）は当該ユニットを搭載した場合の図５（ｂ）のＢ−Ｂ断面図である。
【図８】本発明の第３実施形態にかかるデジタルカメラの概略構成を示す断面図であり、（ａ）は収納状態の正面断面図、（ｂ）は収納状態の上面談面図、（ｃ）は伸長状態の正面断面図である。
【図９】図８のデジタルカメラの外観構成斜視図である。
【図１０】図８のデジタルカメラの制御機構のブロック図である。
【符号の説明】
１ａ，１ｂ，１ｃ  デジタルカメラ
２  ボディ
３  第１部材
４  第２部材
５  屈折撮影光学系
６  入射口
７  バリア
８  ボディ前面
９  ボディ背面
１０  鏡胴
１０ａ  鏡胴の上部部材
１０ｂ  鏡胴の下部部材
１４  ズームレンズ群
１７  ＣＣＤ
１７ａ  撮像素子ユニット
２１，２２，２７  構成ブロック
２３  中空領域
【図１】
2004325471.tif 000003
【図２】
2004325471.tif 000004
【図３】
2004325471.tif 000005
【図４】
2004325471.tif 000006
【図５】
2004325471.tif 000007
【図６】
2004325471.tif 000008
【図７】
2004325471.tif 000009
【図８】
2004325471.tif 000010
【図９】
2004325471.tif 000011
【図１０】
2004325471.tif 000012